(57)【要約】【課題】  前扉に対する化粧用パネル構造体の取り付けを強固なものとして、不正行為を阻止する。【解決手段】  化粧用パネル構造体１０の裏面に、前扉３の表面に向けて突出し、かつ弾性力をもって、前扉３に設けられた係合片３３の端縁３３ａ側から係合片３３の裏面側のテーパー係合部３３ｂに係合することにより、化粧用パネル構造体１０を前扉３の前面に固定しうる被係合部４０ｂを有するフックアーム４０を設け、テーパー係合部３３ｂを、係合片３３の端縁３３ａ寄りが後方へ突出するように傾斜させるとともに、フックアーム４０の被係合部４０ｂを、テーパー係合部３３ｂと同一方向へ傾斜させる。    【選択図】  図５
2006122075.tif 000002
【特許請求の範囲】
【請求項１】
筐体の前面に開閉可能に設けられる前扉の表面に、装飾効果や宣伝効果を奏する化粧用パネル構造体を取り付けた遊技機において、
前記化粧用パネル構造体の裏面に、前記前扉の表面に向けて突出し、かつ弾性力をもって、前記前扉に設けられた係合片の端縁側から該係合片の裏面側のテーパー係合部に係合することにより、前記化粧用パネル構造体を前記前扉の表面に固定しうる被係合部を有するフックアームを設け、前記テーパー係合部を、前記係合片の端縁寄りが後方へ突出するように傾斜させるとともに、前記フックアームの被係合部を、前記テーパー係合部と同一方向へ傾斜させたことを特徴とする遊技機。
【請求項２】
化粧用パネル構造体の裏面におけるフックアームの近傍に、前扉に設けられた位置決め部に係合することにより、前記化粧用パネル構造体を前記前扉に対して位置決めを行なう被位置決め部を設けたことを特徴とする請求項１記載の遊技機。
【請求項３】
化粧用パネル構造体における両側部の裏面に、フックアーム及び被位置決め部を設けるとともに、前記化粧用パネル構造体における上部に、前扉の表面に設けられる操作パネルの下部裏面に係合可能な突部を設けたことを特徴とする請求項２記載の遊技機。
【発明の詳細な説明】
【技術分野】
【０００１】
本発明は、筐体に設けられる前扉の表面に化粧用パネル構造体を取り付けた遊技機に関する。
【背景技術】
【０００２】
従来、スロットマシン等の遊技機においては、各種遊技機器が収容される筐体（収容箱）と、筐体の前面に開閉可能に設けられる前扉（前面枠）とを備えるとともに、前扉の表面下部に、装飾効果や宣伝効果を奏する合成樹脂材により成形される化粧用パネル構造体（タイトルパネル）が取り付けられる（特許文献１参照）。
【特許文献１】特開２００１−１２０７１０号公報
【発明の開示】
【発明が解決しようとする課題】
【０００３】
しかし、上述のような遊技機においては、組付け作業を簡単にするため、化粧用パネル構造体に設けた弾性変形可能なフック部を前扉に係合させることによって、化粧用パネル構造体を前扉の表面に固定させるようになっている。しかし、単に、フック部を前扉に係合させただけでは、化粧用パネル構造体に前方への外力が作用すると、化粧パネル構造体の変形に伴って、フック部が前扉から離脱する等して、前扉と化粧用パネル構造体との間に隙間が発生し、この隙間からピアノ線等の不正具を筐体内に侵入させて、遊技機器を不正に操作させる等の不正行為が行われるおそれがある。
【０００４】
本発明は、従来の問題に鑑み、前扉に対する化粧用パネル構造体の取り付けを強固なものとして、不正行為を阻止しうるようにした遊技機を提供することを目的とする。
【課題を解決するための手段】
【０００５】
本発明によると、上記課題は、次のようにして解決される。
（１）筐体の前面に開閉可能に設けられる前扉の表面に、装飾効果や宣伝効果を奏する化粧用パネル構造体を取り付けた遊技機において、前記化粧用パネル構造体の裏面に、前記前扉の表面に向けて突出し、かつ弾性力をもって、前記前扉に設けられた係合片の端縁側から該係合片の裏面側のテーパー係合部に係合することにより、前記化粧用パネル構造体を前記前扉の表面に固定しうる被係合部を有するフックアームを設け、前記テーパー係合部を、前記係合片の端縁寄りが後方へ突出するように傾斜させるとともに、前記フックアームの被係合部を、前記テーパー係合部と同一方向へ傾斜させる。
【０００６】
（２）上記(１)項において、化粧用パネル構造体の裏面におけるフックアームの近傍に、前扉に設けられた位置決め部に係合することにより、前記化粧用パネル構造体を前記前扉に対して位置決めを行なう被位置決め部を設ける。
【０００７】
（３）上記(２)項において、化粧用パネル構造体における両側部の裏面に、フックアーム及び被位置決め部を設けるとともに、前記化粧用パネル構造体における上部に、前扉の表面に設けられる操作パネルの下部裏面に係合可能な突部を設ける。
【発明の効果】
【０００８】
本発明によれば、次のような効果が奏せられる。
（ａ）請求項１記載の発明によると、化粧用パネル構造体側のフックアームと前扉側の係合片との係合を確実なものとして、化粧用パネル構造体を前扉の表面に強固に固定することができる。この結果、不正行為により、化粧用パネル構造体に対して前方への外力を作用させても、フックアームの被係合部が係合片のテーパー係合部から簡単に外れることがないので、化粧用パネル構造体と前扉との間の隙間から筐体内に不正具を挿入させる等の不正行為を確実に阻止することができる。
【０００９】
（ｂ）請求項２記載の発明によると、化粧用パネル構造体の前扉に対する位置決めを容易にし、取り付け作業の効率化を図ることができる。
【００１０】
（ｃ）請求項３記載の発明によると、化粧用パネル構造体の上部を前扉の表面に確実に固定することができる。
【発明を実施するための最良の形態】
【００１１】
以下、本発明の一実施形態を、図面に基づいて説明する。図１は、本発明を適用した遊技機（スロットマシン）の正面図、図２は、遊技機の分解斜視図、図３は、化粧用パネル構造体の裏面側斜視図、図４は、化粧用パネル構造体の裏面側分解斜視図、図５は、図１におけるＶ−Ｖ線に沿う横断面拡大図、図６は、図５におけるVI部の拡大図、図７は、図１におけるVII−VII線に沿う横断面拡大図、図８は、図１におけるVIII−VIII線に沿う縦断面拡大図、図９は、図１におけるIX−IX線に沿う縦断面拡大図である。なお、以下の説明では、図１において紙面手前側、図２において左斜め下方を遊技機の「前方または表面」とし、図１において紙面奥側、図２において右斜め上方を「後方または裏面」とし、図１において左側、図２において左斜め上方を「左方」とし、図１において右側、図２において右斜め下方を「右方」とする。
【００１２】
遊技機(１)は、前面が開口した矩形状の筐体(２)と、筐体(２)の左前端部に上下方向を向くヒンジ軸(４)により開閉可能に枢支された合成樹脂製の前扉(３)とを備える。前扉(３)は、右側部後面に設けられたロックレバー（図示略）が筐体(２)側に設けられた係合片（図示略）に係合することにより、閉状態に拘束される。
【００１３】
筐体(２)の内部には、遊技機器をなす、外周面に複数種類の図柄が付記された円筒状の３個の回転リール(５)、遊技媒体であるメダルを貯留及び払出可能なホッパーユニット（図示略）、遊技全体を統括的に制御する主制御基板（図示略）、及び各遊技機器に電力を供給する電源ボックス（図示略）等が収容されている。
【００１４】
前扉(３)の前面上部には、各回転リール(５)の図柄を３個ずつ視認可能な図柄表示窓(3a)が設けられ、また、同じく前面上下中央部に設けられた操作パネル部(31)には、メダル（コインを含む）を投入可能なメダル投入口(６)、遊技の開始に際し、メダルの賭数を設定するときに操作されるベットボタン(７)、全ての回転リール(５)を同時に回転させるときに操作されるスタートレバー(８)、各回転リール(５)を個別に停止させるときに操作される３個のストップボタン(９)が設けられている。
【００１５】
さらに、前扉(３)における操作パネル(31)の下方には、装飾効果や宣伝効果を奏する化粧用パネル構造体(10)、化粧用パネル構造体(10)を裏面側から照明する蛍光灯(11)、ホッパーユニットから払い出されるメダルを受け入れるメダル受皿(3b)が設けられている。
【００１６】
遊技機(１)の遊技は、遊技者がメダルをメダル投入口(６)に投入した後、ベットボタン(７)によりメダルの賭数を設定した後、スタートレバー(８)を操作して、全ての回転リール(５)を回転させることによって開始される。なお、メダル投入口(６)に投入されたメダルは、前扉(３)の裏面側に設けられたメダルセレクタ（図示略）によりメダルの真偽が判別され、真と判別されたメダルのみがホッパーユニットに誘導され、偽と判別されたメダルは前扉(３)のメダル受皿(3b)に戻される。
【００１７】
回転リール(５)が回転して所定時間が経過した後、３個のストップボタン(９)を順次操作して、各回転リール(５)の回転を停止させ、停止した３個の回転リール(５)の識別情報の組み合わせにより、入賞の有無、及び賞の大小に応じたメダルの配当枚数が確定され、入賞した場合には、予め定めた入賞枚数分だけホッパーユニットからメダル受皿(3b)にメダルが払い出される。
【００１８】
なお、本実施形態の遊技機(１)は、メダルを使用して上述のような遊技を行うスロットマシンとするが、本発明は、本実施形態に特定されるものでなく、例えば、遊技機(１)を、パチンコ玉を使用して上述とほぼ同様な遊技を行うことができるスロットマシンとしても良い。
【００１９】
前扉(３)における化粧用パネル構造体(10)が取り付けられる表面の領域内には、図２に示すように、左右の開口部(32)が設けられ、また、各開口部(32)の下方には、位置決め部をなす前方へ突出する突部(34)が２個ずつそれぞれ設けられている。
【００２０】
化粧用パネル構造体(10)は、主に図３、４に示すように、合成樹脂製のパネル枠(12)と、パネル枠(12)の内側に嵌め込まれる半透明のアクリル板等により形成されるパネル(13)と、パネル枠(12)に嵌め込まれたパネル(13)の左右両端部を裏面側から押さえる合成樹脂製の左右のパネル押さえ枠(14)と、パネル枠(12)における下枠部(121)に設けられた切欠部(15)にねじ(21)により固定される蓋部材(16)とを含んで構成される。
【００２１】
パネル枠(12)は、縦方向の左右の側枠部(122)(123)、左右の側枠部(122)(123)の上端部同士を連結する横方向の上枠部(124)、及び左右の側枠部(122)(123)の下端部同士を連結する前述の横方向の下枠部(121)を有し、下枠部(121)は、主に図９に示されるように表面が前上がり傾斜するように形成されている。
【００２２】
上枠部(124)には、上枠部(124)の上縁より上方へ突出する左右１対の突部(124a)が設けられている。この突部(124a)は、図８に示すように、操作パネル(31)の下部に裏面側から係合することにより、化粧用パネル構造体(10)における上部を前扉(３)に対して前方へ外れることがないように固定するものである。
【００２３】
下枠部(121)の左右方向のほぼ中央、すなわちメダル受皿(3b)の真上には、後方が開口した前述の切欠部(15)が設けられ、また、下枠部(121)の裏面における切欠部(15)の左右両側には、下枠部(121)の剛性を高めるための上向き突条部(17)〜(20)が前後方向に沿って延設されている。
【００２４】
また、下枠部(121)の下部裏面には、前扉(３)に設けた開口部(35)に嵌合可能な複数の嵌合突部(121a)が設けられている。これにより、化粧用パネル構造体(10)の下部を、前扉(３)の表面に対してがた付き無く固定する。
【００２５】
左右のパネル押さえ枠(14)は、横方向の横枠部(14a)と縦方向の縦枠部(14b)とを有してほぼＬ字状をなすとともに、前方を向く複数のねじ(23)により、パネル枠(12)の外枠部(122)(123)及び下枠部(121)の裏面に締結され、パネル(13)の外周を裏面側から押さえる。
【００２６】
左右のパネル押さえ枠(14)の縦枠部(14b)の上部には、後方、すなわち前扉(３)の表面へ向けて突出するとともに、根本付近から左右方向（図５に示す矢印Ａ方向）へ弾性変形可能なフックアーム(40)が設けられ、また、フックアーム(40)の近傍における下方には、前扉(３)に設けられた各突部(34)にそれぞれ係合可能な被位置決め部をなす切欠部(41)が設けられている。
【００２７】
フックアーム(40)は、後端部に内側を向く鉤状のフック部(40a)を有し、図５、６に示すように、フック部(40a)が前扉(３)に設けられた開口部(32)に挿入されるとともに、フック部(40a)の被係合部(40b)が、フックアーム(40)の弾性力をもって、開口部(32)の後方に設けられた係合片(33)の端縁(33a)側から係合片(33)の裏面側のテーパー係合部(33b)に係合することによって、化粧用パネル構造体(10)の両側部を前扉(３)の表面に前方へ外れることがないように固定する。
【００２８】
テーパー係合部(33b)は、主に図６に示すように、係合片(33)の端縁(33a)寄りが端縁(33a)から離れる側（図５、６において左側）より後方へ突出するように、後方へ角度(θ)傾斜するように形成されている。また、フックアーム(40)の被係合部(40b)も、テーパー係合部(33b)と同一方向へ傾斜するように形成されている。
【００２９】
上述のように、テーパー係合部(33b)及びテーパー係合部(33b)に係合するフックアーム(40)の被係合部(40b)を傾斜させたことにより、化粧用パネル構造体(10)に対して前向きの外力が作用した際、フックアーム(40)の被係合部(40b)がテーパー係合部(33b)に対してさらに深く係合するようになるため、化粧用パネル構造体(10)が前扉(３)の表面から簡単に外れることはない。
【００３０】
なお、化粧用パネル構造体(10)を前扉(３)の表面に取り付けるには、左右のフックアーム(40)を左右の開口部(32)にそれぞれ挿入した状態で、化粧用パネル構造体(10)の左右両側部を後方へ押し込む。これにより、フック部(40a)のテーパー状の後縁が係合片(33)の端縁(33a)に当接することに伴って、フックアーム(40)が図５に２点鎖線で示すように外側に弾性変形した後、弾性復帰してテーパー係合部(33b)に係合する。
【００３１】
各切欠部(41)は、前扉(３)の各突部(34)にそれぞれ係合することにより、前扉(３)に対する化粧用パネル構造体(10)の左右方向及び上下方向の位置決めを行う。また、切欠部(41)をフックアーム(40)の近傍に設けて、化粧用パネル構造体(10)の位置決めをフックアーム(40)の近傍で行うようにしたため、フックアーム(40)の被係合部(40b)とテーパー係合部(33b)との互いの位置ずれを最小限に抑えることができ、フックアーム(40)の被係合部(40b)をテーパー係合部(33b)に確実に係合させることができる。
【００３２】
以上により、本発明は、筐体(２)の前面に開閉可能に設けられる前扉(３)の表面に、装飾効果や宣伝効果を奏する化粧用パネル構造体(10)を取り付けた遊技機(１)において、化粧用パネル構造体(10)の裏面に、前扉(３)の表面に向けて突出し、かつ弾性力をもって、前扉(３)に設けられた係合片(33)の端縁(33a)側から係合片(33)の裏面側のテーパー係合部(33b)に係合することにより、化粧用パネル構造体(10)を前扉(３)の前面に固定しうる被係合部(40b)を有するフックアーム(40)を設け、テーパー係合部(33b)を、係合片(33)の端縁(33a)寄りが後方へ突出するように傾斜させるとともに、フックアーム(40)の被係合部(40b)を、テーパー係合部(33b)と同一方向へ傾斜させたことを特徴とする。これにより、化粧用パネル構造体(10)側のフックアーム(40)と前扉(３)側の係合片(33)との係合を確実なものとして、化粧用パネル構造体(10)を前扉(３)の表面に強固に固定することができる。この結果、不正行為により、化粧用パネル構造体(10)に対して前方への外力を作用させても、フックアーム(40)の被係合部(40b)が係合片(33)のテーパー係合部(33b)から簡単に外れることがないので、化粧用パネル構造体(10)と前扉(３)との間の隙間から筐体(２)内に不正具を挿入させる等の不正行為を確実に阻止することができる。
【００３３】
また、化粧用パネル構造体(10)の裏面におけるフックアーム(40)の近傍に、前扉(３)に設けられた突部(34)に係合することにより、化粧用パネル構造体(10)を前扉(３)に対する位置決めを行なう切欠部(41)を設けたことにより、化粧用パネル構造体(10)の前扉(３)に対する位置決めを容易にし、取り付け作業の効率化を図ることができる。
【００３４】
さらには、化粧用パネル構造体(10)における両側部の裏面に、フックアーム(40)及び切欠部(41)を設けるとともに、化粧用パネル構造体(10)における上部に、前扉(３)の表面に設けられる操作パネル(31)の下部裏面に係合可能な突部(124a)を設けたことにより、化粧用パネル構造体(10)の上部を前扉(３)の表面に確実に固定することができる。
【００３５】
以上、本発明の実施形態について説明したが、本発明の要旨を逸脱しない範囲内で、本実施形態に対して、次のような種々の変形や変更を施すことが可能である。
（ｉ）フックアーム(40)を、パネル枠(12)に一体的に設ける。
（ii）位置決め部をなす突部(34)を切欠部とし、また、被位置決め部をなす切欠部(41)を突部とする。
【図面の簡単な説明】
【００３６】
【図１】本発明を適用した遊技機の正面図である。
【図２】遊技機の分解斜視図である。
【図３】化粧用パネル構造体の裏面側斜視図である。
【図４】化粧用パネル構造体の裏面側分解斜視図である。
【図５】図１におけるＶ−Ｖ線に沿う横断面拡大図である。
【図６】図５におけるVI部の拡大図である。
【図７】図１におけるVII−VII線に沿う横断面拡大図である。
【図８】図１におけるVIIIV−VIII線に沿う縦断面拡大図である。
【図９】図１におけるIX−IX線に沿う縦断面拡大図である。
【符号の説明】
【００３７】
(１)遊技機
(２)筐体
(３)前扉
(3a)図柄表示窓
(3b)メダル受皿
(４)ヒンジ軸
(５)回転リール
(６)メダル投入口
(７)ベットボタン
(８)スタートレバー
(９)ストップボタン
(10)化粧用パネル構造体
(11)蛍光灯
(12)パネル枠
(13)パネル
(14)パネル押さえ枠
(14a)横枠部
(14b)縦枠部
(15)切欠部
(16)蓋部材
(17)〜(20)上向き突条部
(21)ねじ
(22)螺合部
(23)ねじ
(31)操作パネル
(32)開口部
(33)係合片
(33a)端縁
(33b)テーパー係合部
(34)突部（位置決め部）
(35)開口部
(40)フックアーム
(40a)フック部
(40b)被係合部
(41)切欠部（被位置決め部）
(121)下枠部
(121a)嵌合突部
(122)(123)側枠部
(124)上枠部
(124a)突部
【図１】
2006122075.tif 000003
【図２】
2006122075.tif 000004
【図３】
2006122075.tif 000005
【図４】
2006122075.tif 000006
【図５】
2006122075.tif 000007
【図６】
2006122075.tif 000008
【図７】
2006122075.tif 000009
【図８】
2006122075.tif 000010
【図９】
2006122075.tif 000011